(57)【要約】【課題】  バックプレーンコネクタにおける配線の錯綜を回避すると共に、外部光ファイバ心線の接続作業性の向上を図ることができる光コネクタ部品及び該光コネクタ部品付きボード及び該ボードを有した光伝送機器を得る。【解決手段】  バックプレーンコネクタにおいてプリントボードハウジングとして使用される光コネクタ部品１５であって、内蔵光ファイバ２１を有しコネクタ端面２３ａが予め研磨されたコネクタフェルール２３と、コネクタフェルール２３から離間配置され内蔵光ファイバ２１を挿通可能なファイバ孔２４が貫通形成されたキャピラリ２５とを備え、内蔵光ファイバ２１の他端がファイバ孔２４内で終端して固定される。【選択図】        図２
2006011254.tif 000002
【特許請求の範囲】
【請求項１】
内蔵光ファイバを有しコネクタ端面が予め研磨されたコネクタフェルールと、前記コネクタフェルールから離間配置され前記内蔵光ファイバを挿通可能なファイバ孔が貫通形成されたキャピラリとを備え、
前記内蔵光ファイバの他端が前記ファイバ孔内で終端して固定されていることを特徴とする光コネクタ部品。
【請求項２】
前記コネクタフェルールが多心光ファイバを接続できる多心フェルールであることを特徴とする請求項１に記載の光コネクタ部品。
【請求項３】
前記内蔵光ファイバが前記コネクタフェルールと前記キャピラリとの間で単心分離されていることを特徴とする請求項２に記載の光コネクタ部品。
【請求項４】
前記内蔵光ファイバ及び外部光ファイバ心線がマルチモード光ファイバであり、前記キャピラリのファイバ孔が前記内蔵光ファイバ及び前記外部光ファイバ心線の外径寸法に略一致した内径孔のみ備えていることを特徴とする請求項１乃至請求項３のいずれか一項に記載の光コネクタ部品。
【請求項５】
請求項１乃至請求項４に記載の光コネクタ部品がボード上に実装され、外部光ファイバ心線を前記キャピラリのファイバ孔に挿通して前記外部光ファイバ心線が前記内蔵光ファイバに接続されていることを特徴とする光コネクタ部品付きボード。
【請求項６】
前記コネクタフェルールと前記キャピラリの軸線方向が互いに異なった方向で取り付けられていることを特徴とする請求項５に記載の光コネクタ部品付きボード。
【請求項７】
前記コネクタフェルールの多心の内蔵光ファイバが捩れ状態で前記キャピラリと接続されるように、前記コネクタフェルールと前記キャピラリとが配置されて取り付けられていることを特徴とする請求項５又は請求項６に記載の光コネクタ部品付きボード。
【請求項８】
前記キャピラリのファイバ孔内で前記内蔵光ファイバと前記外部光ファイバ心線とが接着剤で固定されていることを特徴とする請求項５乃至請求項７のいずれか一項に記載の光コネクタ部品付きボード。
【請求項９】
前記接着剤の屈折率が１．４〜１．５であることを特徴とする請求項８に記載の光コネクタ部品付きボード。
【請求項１０】
前記外部光ファイバ心線を撓み状態に保持して前記キャピラリのファイバ孔に挿通させるクランプ部材を備えたことを特徴とする請求項５乃至請求項９のいずれか一項に記載の光コネクタ部品付きボード。
【請求項１１】
前記内蔵光ファイバの他端が終端する前記ファイバ孔内に、前記光ファイバのコア屈折率と略一致した屈折率整合材を充填したことを特徴とする請求項５乃至請求項１０のいずれか一項に記載の光コネクタ部品付きボード。
【請求項１２】
上記請求項５乃至請求項１１に記載の光コネクタ部品付きボードを備えたことを特徴とする光伝送機器。
【請求項１３】
上記請求項５乃至請求項１１のいずれか一項に記載の光コネクタ部品付きボードを製造する際に、前記外部光ファイバ心線の長さに相応して、前記内蔵光ファイバの長さを調整することで、外部光ファイバ心線と内蔵光ファイバとの長さの総和を所定値に揃えることを特徴とする配線方法。
【発明の詳細な説明】
【技術分野】
【０００１】
本発明は、光コネクタ部品及び該光コネクタ部品付きボード及び該ボードを有した光伝送機器に関する。
【背景技術】
【０００２】
図１２は、従来のバックプレーンコネクタの構成を示している。
このバックプレーンコネクタＡは、バックプレーン３に取り付けられるバックプレーンハウジング６０及びこれに装着される光コネクタプラグ４ｂと、プラグインユニット１によりバックプレーン３に対して進退自在に支持されるプリントボード２に取り付けられ、バックプレーンハウジング６０に対して着脱自在に挿入され嵌合するプリントボードハウジング５０及びこれに装着される光コネクタプラグ４ａとを備えている。
そして、バックプレーンハウジング６０にプリントボードハウジング５０を着脱可能に嵌合することにより、バックプレーン３に開口した取付穴８を介してバックプレーンハウジング６０に設けられた断面扁平の四つのコネクタ穴６０ａ，６０ａ・・・に差し込まれた光コネクタプラグ４ｂと、プリントボードハウジング５０に設けられた断面扁平の四つのコネクタ穴５０ａ，５０ａ・・・に差し込まれた別の光コネクタプラグ４ａとが接続されるようになっている。
ここで、コネクタ穴５０ａ，５０ａ・・・および６０ａ，６０ａ・・・は、短軸方向が上下方向となるように上下方向に一列状に配設されている。
【０００３】
なお、この図示例では、光コネクタプラグ４ａ，４ｂは、ＪＩＳ Ｃ ５９８１に制定される光コネクタフェルール４ｃをプラスチック製ハウジングにスプリングにより先端方向に付勢するように支持した構成の光コネクタである。
光コネクタプラグでは、光ファイバコードより分岐された光ファイバ心線の先端は、光コネクタフェルールの中央部に一列に配設されており、この両端に、ガイドピンの挿入される穴が設けられている。
ガイドピンは、突き合わせて接続される二つの光コネクタプラグのうちいずれか一方の光コネクタフェルールに挿入されて固定されている。一方の光コネクタプラグに突出するよう設けられたガイドピンが、他方の光コネクタプラグの穴に挿入されるように両者が接合され、両者の光ファイバ心線先端同士がこのガイドピンによって光通信可能なように位置決めされ突き合わされるようになっている（例えば、特許文献１参照）。
【０００４】
【特許文献１】特開２００１−３１８２７４号公報
【発明の開示】
【発明が解決しようとする課題】
【０００５】
ところが、上記特許文献１の構成では、外部光ファイバ心線が接続された複数本の光コネクタプラグ４ａが、直接プリントボードハウジング５０の各コネクタ穴５０ａに嵌合接続されるため、小さなプリントボードハウジング５０の周辺に多数本の光コネクタプラグ４ａが集中して、プリントボードハウジング５０の周辺に配線の錯綜が生じるという問題があった。
【０００６】
また、光コネクタプラグ４ａに接続する外部光ファイバ心線は、予め先端の所定長の範囲の被覆を剥いで光ファイバガラス部を露出した状態にし、露出した光ファイバガラス部を光コネクタプラグ４ａに挿入して、光コネクタプラグ４ａの先端面に露出するコア端面を研磨するが、光ファイバガラス部の露出時や研磨処理時等に光ファイバ心線折れが発生しないように慎重な作業が必要になり、作業性が悪いという問題があった。
【０００７】
また、光コネクタプラグ４ａへの組付け作業等に伴う外部光ファイバ心線の先端の心線折れによる短尺化を回避するために、予め各外部光ファイバ心線に余長部を確保しておく方法があるが、その場合には、心線折れしたものと他の外部光ファイバ心線との間に経路長の差異（スキュー）が現出して、パラレル光伝送のチャネル間で光信号の遅れを招くという問題が生じ、また、光ファイバの曲げ径を保証するための余長収納部の存在によって接続部周辺が煩雑化するという問題も生じた。
【０００８】
本発明の目的は、外部光ファイバ心線が接続された多数本の光コネクタプラグがプリントボードハウジングやバックプレーンハウジングの周辺に集中することを防止して、プリントボードハウジングやバックプレーンハウジングの周辺における配線の錯綜を回避して、プリントボード上やバックプレーン上での配線の取り回しを簡素化することができ、また、心線折れが発生し難く、接続作業性の向上を図ることができ、しかも、万が一、心線折れが発生しても伝送遅れを生じさせない方法でリカバリーでき、超高密度実装にも対応することのできる光コネクタ部品及び該光コネクタ部品付きボード及び該ボードを有した光伝送機器を提供することである。
【課題を解決するための手段】
【０００９】
上記目的を達成するために、本発明に係る請求項１記載の光コネクタ部品は、内蔵光ファイバを有しコネクタ端面が予め研磨されたコネクタフェルールと、前記コネクタフェルールから離間配置され前記内蔵光ファイバを挿通可能なファイバ孔が貫通形成されたキャピラリとを備え、
前記内蔵光ファイバの他端が前記ファイバ孔内で終端して固定されていることを特徴とする。
【００１０】
本発明に係る請求項２記載の光コネクタ部品は、請求項１に記載の光コネクタ部品において、前記コネクタフェルールが多心光ファイバを接続できる多心フェルールであることを特徴とするとよい。
【００１１】
本発明に係る請求項３記載の光コネクタ部品は、請求項２に記載の光コネクタ部品において、
前記内蔵光ファイバが前記コネクタフェルールと前記キャピラリとの間で単心分離されていることを特徴とするとよい。
【００１２】
本発明に係る請求項４記載の光コネクタ部品は、請求項１乃至請求項３のいずれか一項に記載の光コネクタ部品において、前記内蔵光ファイバ及び外部光ファイバ心線がマルチモード光ファイバであり、前記キャピラリのファイバ孔が前記内蔵光ファイバ及び前記外部光ファイバ心線の外径寸法に略一致した内径孔のみ備えていることを特徴とするとよい。
【００１３】
本発明に係る請求項５記載の光コネクタ部品付きボードは、請求項１乃至請求項４に記載の光コネクタ部品がボード上に実装され、外部光ファイバ心線を前記キャピラリのファイバ孔に挿通して前記外部光ファイバ心線が前記内蔵光ファイバに接続されていることを特徴とする。
【００１４】
本発明に係る請求項６記載の光コネクタ部品付きボードは、請求項５に記載の光コネクタ部品付きボードにおいて、前記コネクタフェルールと前記キャピラリの軸線方向が互いに異なった方向で取り付けられていることを特徴とするとよい。
【００１５】
本発明に係る請求項７記載の光コネクタ部品付きボードは、請求項５又は請求項６に記載の光コネクタ部品付きボードにおいて、前記コネクタフェルールの多心の内蔵光ファイバが捩れ状態で前記キャピラリと接続されるように、前記コネクタフェルールと前記キャピラリとが配置されて取り付けられていることを特徴とするとよい。
【００１６】
本発明に係る請求項８記載の光コネクタ部品付きボードは、請求項５乃至請求項７のいずれか一項に記載の光コネクタ部品付きボードにおいて、前記キャピラリのファイバ孔内で前記内蔵光ファイバと前記外部光ファイバ心線とが接着剤で固定されていることを特徴とするとよい。
【００１７】
本発明に係る請求項９記載の光コネクタ部品付きボードは、請求項８に記載の光コネクタ部品付きボードにおいて、前記接着剤の屈折率が１．４〜１．５であることを特徴とするとよい。
【００１８】
本発明に係る請求項１０記載の光コネクタ部品付きボードは、請求項５乃至請求項９のいずれか一項に記載の光コネクタ部品付きボードにおいて、
前記外部光ファイバ心線を撓み状態に保持して前記キャピラリのファイバ孔に挿通させるクランプ部材を備えたことを特徴とするとよい。
【００１９】
本発明に係る請求項１１記載の光コネクタ部品付きボードは、請求項５乃至請求項１０のいずれか一項に記載の光コネクタ部品付きボードにおいて、前記内蔵光ファイバの他端が終端する前記ファイバ孔内に、前記光ファイバのコア屈折率と略一致した屈折率整合材を充填したことを特徴とするとよい。
【００２０】
本発明に係る請求項１２記載の光伝送機器は、上記請求項５乃至請求項１１に記載の光コネクタ部品付きボードを備えたことを特徴とする。
【００２１】
本発明に係る請求項１３記載の配線方法は、上記請求項５乃至請求項１１のいずれか一項に記載の光コネクタ部品付きボードを製造する際に、前記外部光ファイバ心線の長さに相応して、前記内蔵光ファイバの長さを調整することで、外部光ファイバ心線と内蔵光ファイバとの長さの総和を所定値に揃えることを特徴とする。
【発明の効果】
【００２２】
本発明の光コネクタ部品は、キャピラリの他端に外部光ファイバ心線を挿通させることで、外部光ファイバ心線を内蔵光ファイバに接続した構成とすることができる。従って、光コネクタ部品は、バックプレーンコネクタの部品として利用可能である。
但し、本発明の光コネクタ部品をプリントボード用またはバックプレーン用として使用する場合に、キャピラリは内蔵光ファイバの可撓性によってコネクタフェルールに対して位置変更が可能なため、キャピラリの配置を調整することで、外部光ファイバ心線の接続位置を、コネクタフェルールの位置から適宜方向に一定距離ずらすことができる。
従って、多数本の外部光ファイバ心線が、コネクタフェルールの接近した位置で集中することを防止して、プリントボードハウジングまたはバックプレーンハウジングの周辺における配線の錯綜を回避して、ボード上での配線の取り回しを簡素化することができる。
【００２３】
また、本発明に係る光コネクタ部品をバックプレーンコネクタの部品として利用する場合、コネクタフェルールのコネクタ端面は予め研磨されていて、外部光ファイバ心線を接続した後に端面研磨をする必要がない。
従って、心線折れが発生し難く、外部光ファイバ心線の接続作業性の向上を図ることができる。
【００２４】
そして、本発明の光コネクタ部品を装備したボードをバックプレーンコネクタとして使用する場合、例えば、光コネクタ部品を構成しているコネクタフェルールとキャピラリの軸線方向を互いに異なった方向に設定することで、外部光ファイバ心線の装着向きを多方向に分散させることができ、配線の錯綜を簡単に回避できる。また、本発明の光コネクタ部品における内蔵光ファイバを、長さの異なるものに交換可能にしておけば、外部光ファイバ心線の長さが心線折れによって短尺化した際には、その短尺化分に相応して、長尺の内蔵光ファイバに組み替えることで、心線折れした外部光ファイバ心線と他の外部光ファイバ心線との間に経路長の差異が現出することを防止して、伝送遅れの発生を防止することができる。
従って、心線折れが発生しても伝送遅れを生じさせずにリカバリーできる。
【００２５】
また、本発明の光コネクタ部品で使用する内蔵光ファイバは外部光ファイバ心線よりも線径の小さなものを採用することによって、コネクタフェルールは、ファイバ相互の配列ピッチが小さな多心フェルールとすることができ、これによって、超高密度実装にも対応することができる。
【発明を実施するための最良の形態】
【００２６】
以下、本発明に係る光コネクタ部品及び該光コネクタ部品付きボード及び該ボードを有した光伝送機器の好適な実施の形態について、図面を参照して詳細に説明する。
【００２７】
図１は本発明に係る光コネクタ部品付きボードの一実施の形態の要部の斜視図で、図２は図１のＡ−Ａ線に沿う断面図である。
この光コネクタ部品付きボード１１は、バックプレーンコネクタにおいて、例えばプラグインユニットに挿抜されるプリントボード１３の上に、本発明に係る光コネクタ部品１５を搭載したものである。
【００２８】
光コネクタ部品１５は、内蔵光ファイバ２１を有しコネクタ端面２３ａが予め所定の傾斜角θに研磨されたコネクタフェルール２３と、コネクタフェルール２３から離間配置され内蔵光ファイバ２１を挿通可能なファイバ孔２４が貫通形成されたキャピラリ２５とを備えている。
そして、図２に示すように、内蔵光ファイバ２１の他端の光ファイバガラス部２１ａが、ファイバ孔２４内で終端して、接着剤２７により固定されている。
コネクタフェルール２３に挿通された内蔵光ファイバ２１の一端の光ファイバガラス部２１ｂも接着剤２８によって、コネクタフェルール２３に固定されている。
上記の各接着剤２７，２８は屈折率が１．４〜１．５で、内蔵光ファイバ２１及び後述する外部光ファイバ心線３５のコア屈折率と略同じ屈折率を有したものが使用されている。
【００２９】
本実施の形態の場合、コネクタフェルール２３は、多心光ファイバを接続できる多心フェルールである。
コネクタフェルール２３及びキャピラリ２５間に布設される内蔵光ファイバ２１は、複数本で、コネクタフェルール２３とキャピラリ２５との間では、単心分離された状態で、装備されている。
単心分離状態で布設された複数本の内蔵光ファイバ２１の一端は、コネクタフェルール２３のコネクタ端面２３ａの中央部に一列に配設されており、この両端に、ガイドピンの挿入される穴２６，２６が設けられている。
このように単心分離された内蔵光ファイバ２１を採用したことで、例えば、複数本の光ファイバがテープ状に一体化されたテープ心線を使用した場合と比較して、内蔵光ファイバ２１の曲げ方向の自由度が高く、図６に示すように、コネクタフェルール２３の多心の内蔵光ファイバ２１が捩れ状態でキャピラリ２５と接続されるようにさせた配置が容易になる。
【００３０】
内蔵光ファイバ２１の他端を挿通するためにキャピラリ２５に形成されるファイバ孔２４は、図２に示すように、内蔵光ファイバ２１の外径寸法に相応して設定された大径部２４ａと、内蔵光ファイバ２１の他端の光ファイバガラス部２１ａを挿通させる小径部２４ｂとを備えている。
【００３１】
そして、キャピラリ２５の他端には、外部光ファイバ心線３５を挿通させるためのファイバ孔３３が、ファイバ孔２４に対向して、ファイバ孔２４に同軸に貫通形成されている。
このファイバ孔３３は、外部光ファイバ心線３５の外径寸法に相応して設定された大径部３３ａと、外部光ファイバ心線３５の光ファイバガラス部３５ａを挿通させる小径部３３ｂとを備えている。
【００３２】
外部光ファイバ心線３５は、図１に示したように、予め先端の所定長の範囲の被覆を剥いで光ファイバガラス部３５ａを露出した状態にし、露出した光ファイバガラス部３５ａを図１の矢印Ｂに示すようにキャピラリ２５のファイバ孔３３に挿入して、内蔵光ファイバ２１の他端の光ファイバガラス部２１ａに突き合わせることで、内蔵光ファイバ２１に接続された状態にする。
【００３３】
光コネクタ部品１５において、コネクタフェルール２３とキャピラリ２５との間に布設する内蔵光ファイバ２１には、長さの異なる数種のものが用意されていて、光コネクタ部品付きボード１１を製造する際、キャピラリ２５に接続される外部光ファイバ心線３５の長さに相応して、内蔵光ファイバ２１の長さを調整することで、外部光ファイバ心線３５と内蔵光ファイバ２１との長さの総和を所定値に揃える配線方法が採用される。
【００３４】
図３は、プリントボード１３上に、二組の光コネクタ部品１５Ａ，１５Ｂを装備する例を示している。
但し、光コネクタ部品１５Ａは、各外部光ファイバ心線３５の先端の光ファイバガラス部３５ａの露出の際に心線折れを招くことなく、適正に光ファイバガラス部３５ａの露出ができた場合で、その場合には、標準の長さの内蔵光ファイバ２１が使用される。
それに対して、光コネクタ部品１５Ｂの場合は、各外部光ファイバ心線３５の先端の光ファイバガラス部３５ａの露出の際に心線折れが発生して、外部光ファイバ心線３５の経路長が長さＬだけ短縮された場合を示している。
この短尺化された光コネクタ部品１５Ｂに対しては、通常よりも長さ寸法がＬだけ長い内蔵光ファイバ２１Ｂを使用することで、何れの光コネクタ部品１５Ａ，１５Ｂの場合も、外部光ファイバ心線３５と内蔵光ファイバ２１との長さの総和が同一に修正され、経路長の差異による伝送遅れの発生を防止することができる。即ち、心線折れが発生しても伝送遅れを生じさせずにリカバリーできる。
【００３５】
また、以上に説明した光コネクタ部品１５では、キャピラリ２５の他端に外部光ファイバ心線３５を挿通させることで、外部光ファイバ心線３５を内蔵光ファイバ２１に接続した構成とすることができる。従って、光コネクタ部品１５は、バックプレーンコネクタにおける、例えばプリントボードハウジングに挿入される光コネクタプラグ部品として機能する。
但し、上記光コネクタ部品１５をプリントボードハウジングに挿入される光コネクタプラグ部品として使用した場合は、キャピラリ２５は内蔵光ファイバ２１の可撓性によってコネクタフェルール２３に対して位置変更が可能なため、キャピラリ２５の配置を調整することで、外部光ファイバ心線３５の接続位置を、コネクタフェルール２３の位置から適宜方向に一定距離ずらすことができる。
従って、多数本の外部光ファイバ心線３５が、コネクタフェルール２３の接近した位置で集中することを防止して、プリントボードハウジングの周辺における配線の錯綜を回避して、プリントボード上での配線の取り回しを簡素化することができる。
【００３６】
また、上記光コネクタ部品１５をバックプレーンコネクタにおけるプリントボードハウジングに挿入される光コネクタプラグ部品として利用する場合、コネクタフェルール２３のコネクタ端面２３ａは予め研磨されていて、外部光ファイバ心線３５を接続した後に端面研磨をする必要がない。
従って、心線折れが発生し難く、外部光ファイバ心線３５の接続作業性の向上を図ることができる。
【００３７】
なお、上記実施の形態では、プリントボード１３の表面に沿って光コネクタ部品１５を装備していて、光コネクタ部品１５を構成しているコネクタフェルール２３とキャピラリ２５とが、軸線方向を一致させた配置であった。
しかし、図４及び図５に例示するように、バックプレーンコネクタにおいて、例えばバックプレーン４３上に、このバックプレーン４３に固定されるＬ型金具４１を利用することで、コネクタフェルール２３とキャピラリ２５の軸線方向が互いに異なった方向で取り付けるようにしても良い。
【００３８】
図４及び図５に示した例では、キャピラリ２５とコネクタフェルール２３は、軸方向が互いに直交する配置になっている。
但し、図４に示した例では、キャピラリ２５におけるファイバ孔２４及びファイバ孔３３の配列方向が、プリントボード１３（バックプレーン）の表面に平行になっている。
これに対して、図５に示した例では、キャピラリ２５におけるファイバ孔２４及びファイバ孔３３の配列方向が、プリントボード１３（バックプレーン）の表面に対して垂直方向になっている。
【００３９】
そして、本発明の光コネクタ部品１５を装備したボードをバックプレーンコネクタにおけるバックプレーン用として使用する場合、例えば、光コネクタ部品１５を構成しているコネクタフェルール２３とキャピラリ２５の軸線方向を互いに異なった方向に設定することで、外部光ファイバ心線３５の装着向きを多方向に分散させることができ、配線の錯綜を簡単に回避できる。
このように、コネクタフェルール２３及びキャピラリ２５の軸線を互いに直交させたり、内蔵光ファイバ２１に捻りを加えた形態で、コネクタフェルール２３及びキャピラリ２５の取り付け向きに変化を持たせることで、プリントボード１３上やバックプレーン上における外部光ファイバ心線３５の装着向きを多方向に分散させることができ、配線の錯綜を簡単に回避できる。
【００４０】
また、上記実施の形態では、図７にも示したように、内蔵光ファイバ２１や外部光ファイバ心線３５には、シングルモード光ファイバを使用することを前提としていて、キャピラリ２５に装備するファイバ孔２４，３３は、いずれも、ファイバ心線の外径部が挿入される大径部２４ａ，３３ａの先端に小径部２４ｂ，３３ｂが形成された構造とした。
しかし、図８に示すように、内蔵光ファイバ２１及び外部光ファイバ心線３５にはシングルモード光ファイバよりもコア径が大きいマルチモード光ファイバを使用し、キャピラリ２５に形成するファイバ孔を、内蔵光ファイバ２１及び外部光ファイバ心線３５の外径寸法に略一致した内径孔３４のみを貫通形成した構造にしても良い。
マルチモード光ファイバはコア径が太いため光軸ずれのトレランスが広く、光ファイバガラス部を露出させずに、光ファイバ心線の被覆外周を基準面としてキャピラリ内で内蔵光ファイバ２１及び外部光ファイバ心線３５の端部同士を突き合わせるだけでも、所定の伝送特性の接続を実現することができ、キャピラリ２５の構造を簡略化すると同時に、各光ファイバ２１，３５の端部処理を不要にして、生産性を向上させることができる。
【００４１】
なお、内蔵光ファイバ２１及び外部光ファイバ心線３５にマルチモード光ファイバを使用し、キャピラリ２５は、マルチモード光ファイバの外径寸法に対応する内径孔３４のみを貫通形成した構成の場合、キャピラリ２５内での内蔵光ファイバ２１と外部光ファイバ心線３５との接続には、図９又は図１０に示す接続構造を採用することができる。
図９に示した接続構造は、ボード１３上に、外部光ファイバ心線３５を撓み状態に保持してキャピラリ２５の内径孔３４に挿通させるクランプ部材４４を備えたもので、外部光ファイバ心線３５の撓み４５によって発生した応力が、外部光ファイバ心線３５の先端を内径孔３４内に押し込む押圧力となって作用して、内径孔３４内で対向する内蔵光ファイバ２１と外部光ファイバ心線３５との端面相互間に一定の接触圧を発生し、安定した接続状態を得ることができる。
この場合に、キャピラリ２５の一端側に挿入された内蔵光ファイバ２１の基端側は、適宜接着剤４６によってキャピラリ２５に固定し、内径孔３４内の内蔵光ファイバ２１の終端側には、予め、各ファイバのコア屈折率と同等の屈折率を持った屈折率整合材（グリス）４８を充填しておくと良い。
【００４２】
図１０に示した接続構造の場合は、屈折率整合材４８やクランプ部材４４を使用せず、キャピラリ２５の内径孔３４内に挿入される内蔵光ファイバ２１と外部光ファイバ心線３５とを、各ファイバのコア屈折率と同等の屈折率を持った接着剤４９で直接キャピラリ２５に固定した構造である。
【００４３】
図１１は、上記実施の形態に示した光コネクタ部品付きボード１１が、光伝送機器筐体７１のバックプレーンに装備された光コネクタ部品付きボード７３に嵌合接続される光伝送機器７５を示している。
光コネクタ部品付きボード７３は、上記実施の形態と同様な構成の光コネクタ部品８３を組み付けた構造である。
光コネクタ部品８３は、プリントボードハウジングとして機能する光コネクタ部品１５が嵌合接続されるバックプレーンハウジングとして機能する。
【００４４】
光コネクタ部品８３の具体的な構成は、内蔵光ファイバ８４を有しコネクタ端面８５ａが予め所定の傾斜角に研磨されたコネクタフェルール８５と、コネクタフェルール８５から離間配置され内蔵光ファイバ８４を挿通可能なファイバ孔が貫通形成されたキャピラリ８６とを備えたもので、光コネクタ部品１５と同様な構成を成している。
但し、光コネクタ部品８３の場合は、コネクタフェルール８５とキャピラリ８６の軸線方向が直交する構成で、内蔵光ファイバ８４には細径光ファイバが用いられその曲げＲが、許容曲げ半径であるＲ５〜１０に設定されている。
【００４５】
このように、光伝送機器７５の装備されるバックプレーンコネクタにおいて、バックプレーンハウジングに挿入される光コネクタプラグ部品及びプリントボードハウジングに挿入される光コネクタプラグ部品のそれぞれを、本発明に係る光コネクタ部品を採用した構成とすることで、バックプレーンコネクタにおける配線の単純化、心線折れの発生防止を徹底し、光伝送機器７５の生産性を向上させることができる。
【００４６】
また、光コネクタ部品１５，８３で使用する内蔵光ファイバ２１，８４には外部光ファイバ心線３５と線径の異なる光ファイバ心線、例えば、外部光ファイバ心線３５よりも細径のものを採用することによって、コネクタフェルール２３，８５は、ファイバ相互の配列ピッチが小さな多心フェルールとすることができ、これによって、超高密度実装にも対応することができる。つまり、光コネクタ部品１５，８３は、線材変換機能も有している。
【図面の簡単な説明】
【００４７】
【図１】本発明に係る光コネクタ部品を装着した光コネクタ部品付きボードの一実施の形態の要部の斜視図である。
【図２】図１に示したＡ−Ａ線に沿う断面図である。
【図３】図１に示した光コネクタ部品において、内蔵光ファイバを長さの異なるものに交換して、外部光ファイバ心線における心線折れに対応する配線方法の説明図である。
【図４】図１に示した光コネクタ部品において、コネクタフェルールとキャピラリの軸方向を相異させた構成の一例を示す斜視図である。
【図５】図１に示した光コネクタ部品において、コネクタフェルールとキャピラリの軸方向を相異させた構成の他の例を示す斜視図である。
【図６】図１に示した光コネクタ部品において、コネクタフェルールとキャピラリの軸方向を一致させた状態で、捻りによって、内蔵フェルールの配列方向に変化を与えた例を示す斜視図である。
【図７】図１に示した光コネクタ部品のキャピラリの縦断面図である。
【図８】本発明に係る光コネクタ部品のキャピラリの他の実施の形態の縦断面図である。
【図９】図８に示したキャピラリに外部光ファイバ心線を接続する方法の説明図で、（ａ）は外部光ファイバ心線を挿入する前のキャピラリの縦断面図、（ｂ）は外部光ファイバ心線を挿入した状態のキャピラリの縦断面図である。
【図１０】図８に示したキャピラリに外部光ファイバ心線を接続する別の方法の説明図で、（ａ）は外部光ファイバ心線を挿入する前のキャピラリの縦断面図、（ｂ）は外部光ファイバ心線を挿入した状態のキャピラリの縦断面図である。
【図１１】本発明に係る光コネクタ部品付きボードがバックプレーンに装着される光伝送機器の要部の断面図である。
【図１２】従来のバックプレーンコネクタの概略構成を示す分解斜視図である。
【符号の説明】
【００４８】
１１  光コネクタ部品付きボード
１３  プリントボード
１５  光コネクタ部品
２１  内蔵光ファイバ
２３  コネクタフェルール
２３ａ  コネクタ端面
２４  ファイバ孔
２５  キャピラリ
２７  接着剤
２８  接着剤
３３  ファイバ孔
３４  内径孔
３５  外部光ファイバ心線
４１  金具
４４  クランプ部材
４５  撓み
４６  接着剤
４８  屈折率整合材
４９  接着剤
７３  光コネクタ部品付きボード
７５  光伝送機器
８３  光コネクタ部品
８４  内蔵光ファイバ
８５  コネクタフェルール
８６  キャピラリ
【図１】
2006011254.tif 000003
【図２】
2006011254.tif 000004
【図３】
2006011254.tif 000005
【図４】
2006011254.tif 000006
【図５】
2006011254.tif 000007
【図６】
2006011254.tif 000008
【図７】
2006011254.tif 000009
【図８】
2006011254.tif 000010
【図９】
2006011254.tif 000011
【図１０】
2006011254.tif 000012
【図１１】
2006011254.tif 000013
【図１２】
2006011254.tif 000014